(57)【特許請求の範囲】
【請求項１】
外側を覆うケースが設けられ、該ケースはコ字状断面を有し薄い板状空間を内部に有して形成され、ゲーム機の前面枠を施錠し解錠する前面枠施錠機構と、該ゲーム機のガラス枠を施錠し解錠するガラス枠施錠機構とが該ケース内に配設されたゲーム機の施錠装置において、
該ケースの板状空間内に板状で長尺の支持部材が配設され、
該前面枠施錠機構にはラッチ部材が該ケース内の該支持部材に回動可能に枢支され、該ラッチ部材を解錠側に動作させるラッチ作動杆が該ケース内の該支持部材に摺動可能に装着され、該ラッチ部材を解錠側に付勢するばね部材が装着され、
該ガラス枠施錠機構にはガラス枠鉤部材が該ケース内の該支持部材に傾動可能に枢支され、該ガラス枠鉤部材を解錠側に傾動させるガラス枠作動杆が該ケース内の該支持部材に摺動可能に装着され、該ガラス枠鉤部材を施錠側に付勢するばね部材が装着され、
該ラッチ部材は該ケース内の該支持部材の一方の側に、枢軸により回動可能に枢支され、該ラッチ部材には受け具を拘束するロック凹部が設けられる一方、該ケースと前記支持部材には受け具の係止ピンを受け入れる開口凹部が設けられ、
前記ラッチ作動杆は該支持部材の他方の側に摺動可能に配設され、該ラッチ作動杆には該ラッチ部材の係止部に係合して該ラッチ部材をラッチ位置にロックする係合ピンが突設される共に、該係合ピンは該支持部材に形成されたガイド孔に他方の側から一方の側に挿通され、
該支持部材の側方に突設された取付座部にシリンダ錠が取り付けられ、該シリンダ錠の錠軸の先端にカム部材が固定され、該カム部材を覆うカムカバーが該支持部材の該取付座部に固定され、
前記前面枠の施錠時には、該ラッチ部材が回動して受け具の係止ピンを該ロック凹部と該開口凹部内に拘束し、解錠時には、該カム部材が一方向に回動し該ラッチ作動杆に係合して該ラッチ作動杆を解錠側に摺動させて、該ラッチ部材を解錠動作させ、前記ガラス枠の施錠時には、前記ガラス枠鉤部材が傾動して施錠し、該ガラス枠の解錠時には、該カム部材が他方向に回動し該ガラス枠作動杆に係合して該ガラス枠作動杆を解錠側に摺動させ、該ガラス枠鉤部材を解錠側に傾動させることを特徴とするゲーム機の施錠装置。
【請求項２】
前記ガラス枠鉤部材は、前記ケース内で、前記支持部材の内側にその元部が枢軸により支持されると共に、その先端部が傾動可能に該ケースから前方に突き出して配設され、該枢軸の周囲に装着したばね部材により該ガラス枠鉤部材は施錠方向に付勢され、前記ガラス枠作動杆は、該支持部材の内側に摺動可能に配設され、該ガラス枠作動杆には該ガラス枠鉤部材を解錠側に押して傾動させる係合ピンが突設されると共に、該係合ピンは該支持部材に形成されたガイド孔に挿通されたことを特徴とする請求項１記載のゲーム機の施錠装置。
【請求項３】
前記ケースの一部と前記支持部材の一部に、各々固定孔を設けた固定座が突設され、両固定座の向きは相互に直角関係となるように設定され、該支持部材の固定座は該ケースの一部に設けたスリットを通して外部に突出することを特徴とする請求項１記載のゲーム機の施錠装置。
【請求項４】
外側を覆うケースが設けられ、該ケースはコ字状断面を有し薄い板状空間を内部に有して形成され、ゲーム機の前面枠を施錠し解錠する前面枠施錠機構が該ケース内に配設されたゲーム機の施錠装置において、
該ケースの板状空間内に板状で長尺の支持部材が配設され、
該前面枠施錠機構にはラッチ部材が該ケース内の該支持部材に回動可能に枢支され、該ラッチ部材を解錠側に動作させるラッチ作動杆が該ケース内の該支持部材に摺動可能に装着され、該ラッチ部材を解錠側に付勢するばね部材が装着され、
該ラッチ部材は該ケース内の該支持部材の一方の側に、枢軸により回動可能に枢支され、該ラッチ部材には受け具を拘束するロック凹部が設けられる一方、該ケースと前記支持部材には受け具の係止ピンを受け入れる開口凹部が設けられ、
前記ラッチ作動杆は該支持部材の他方の側に摺動可能に配設され、該ラッチ作動杆には該ラッチ部材の係止部に係合して該ラッチ部材をラッチ位置にロックする係合ピンが突設される共に、該係合ピンは該支持部材に形成されたガイド孔に他方の側から一方の側に挿通され、
該支持部材の側方に突設された取付座部にシリンダ錠が取り付けられ、該シリンダ錠の錠軸の先端にカム部材が固定され、該カム部材を覆うカムカバーが該支持部材の該取付座部に固定され、
施錠時には、該ラッチ部材が回動して受け具の係止ピンを該ロック凹部と該開口凹部内に拘束し、解錠時には、該カム部材が一方向に回動し該ラッチ作動杆に係合して該ラッチ作動杆を解錠側に摺動させ、該ラッチ部材を解錠動作させることを特徴とするゲーム機の施錠装置。
【発明の詳細な説明】
【技術分野】
【０００１】
本発明は、パチンコ機、スロットマシンなどのゲーム機の施錠装置に関し、特に、ゲーム機の前面枠（前面枠、前扉）を本体枠（筐体）に対し施錠し、且つガラス枠を前面枠に対し施錠する施錠装置において、装置本体のスリム化を図ると共に、円滑な施錠・解錠を行ない得るゲーム機の施錠装置に関する。
【背景技術】
【０００２】
近年、パチンコ機などのゲーム機内に収納される各種電気機器は、それらの数が増大し或いはそれらの形状が大型化する傾向にあり、それに伴い、ゲーム機の前面枠などを施錠する施錠装置取付用のゲーム機内のスペースが狭くなり、施錠装置のスリム化、コンパクト化が要望されている。
【０００３】
そこで、従来、パチンコ機の前面枠を本体枠に対し施錠すると共に、ガラス扉を前面枠に対し施錠する施錠装置として、装置本体の外形形状を薄くスリム化した施錠装置が、下記特許文献１などで提案されている。
【０００４】
この施錠装置は、断面をコ字状とした薄く細い装置本体の内側に、前面枠用鉤を突設した前面枠作動杆と、ガラス扉用鉤を突設したガラス扉作動杆とを各々、駆動杆と共に摺動可能に挿入し、装置本体の側部に、シリンダ錠の取付座部を突設し、その取付座部に取り付けたシリンダ錠の錠軸にカムを固定し、装置本体内の駆動杆にそのカムを係合させて、解錠動作させるように構成される。この従来の施錠装置の装置本体は、その正面幅がその側面幅の約１／３に縮小されてスリム化されている。
【０００５】
この施錠装置では、前面枠作動杆とガラス扉作動杆に、各々施錠方向に付勢するコイルばねが装着され、前面枠を閉じた際には、前面枠作動杆が摺動して、本体枠側の受け金具にその前面枠用鉤が係止されて、前面枠が施錠される。ガラス扉を閉じた際には、ガラス扉作動杆が摺動して前面枠側の受け金具にそのガラス扉用鉤が係止されて、ガラス扉が施錠される。他方、解錠する際には、シリンダ錠に差し込んだキーを一方に回すと、カムを介して前面枠作動杆が解錠方向に摺動して、前面枠が解錠され、キーを他方に回すと、カムを介してガラス扉作動杆が解錠方向に摺動して、ガラス扉が解錠される構造となっている。
【特許文献１】特開２００７−３０１１２４号公報
【発明の開示】
【発明が解決しようとする課題】
【０００６】
しかし、この種のスリム化した施錠装置の装置本体は、細くスリム化された正面幅が、その縦方向（長手方向）の長さに対し非常に短く細くなっている。このため、鋼板を断面コ字状に曲折し或いは複数の板部材を接合して形成される装置本体には、製造時の製品毎の寸法誤差や形状のばらつきが発生し、微妙な曲げや変形が生じやすい。
【０００７】
一方、そのようにスリム化された装置本体内には、前面枠用鉤を突設した長尺の前面枠作動杆とガラス扉用鉤を突設した長尺のガラス扉作動杆とが各々、長尺の駆動杆と共に摺動可能に挿入される。
【０００８】
このため、前面枠作動杆、ガラス扉作動杆、及び駆動杆の製造時に、製品毎の寸法誤差や形状のばらつきが生じて、微妙な曲げや変形が生じている場合、長尺の作動杆と装置本体内の切断縁部などが接触し、或いは作動杆などの表面が他の部材に接触する接触面積が増大することとなる。このため、長尺の作動杆と装置本体との間に、少なからぬ接触（当接）荷重が生じる箇所が発生し、装置本体の内面、前面枠作動杆、或いはガラス扉作動杆の外面など、金属同士の摺動摩擦抵抗が増大しやすい。
【０００９】
この従来のスリム化された施錠装置は、前面枠を閉じて前面枠を施錠する際、前面枠を閉じる力が前面枠作動杆を摺動させる側に作用する構造のため、上記の如く、前面枠作動杆の摺動時の摩擦抵抗が増大している場合、前面枠を閉じて前面枠を施錠する際の力が比較的大きく必要となり、円滑な施錠動作が阻害されやすい。また、前面枠を解錠操作する際、駆動杆と前面枠作動杆がシリンダ錠とカムの動作に応じて摺動するが、駆動杆と前面枠作動杆の摺動時の摩擦抵抗が大きいと、円滑な解錠動作が阻害されやすい。
【００１０】
同様に、ガラス扉を閉じて施錠する際、ガラス扉を閉じる力がガラス扉作動杆を摺動させる側に作用する構造のため、上記の如く、ガラス扉作動杆の摺動時の摩擦抵抗が増大している場合、ガラス扉を閉じて施錠する際の閉じ力が比較的大きく必要となり、円滑な施錠動作が阻害されやすいという不具合があった。
【００１１】
本発明は、上記の課題を解決するためになされたもので、スリム化された装置本体を有し、前面枠とガラス枠の両方を施錠する施錠装置であっても、各部品の製造時の寸法誤差や形状のばらつきに拘らず、円滑に施錠・解錠することができるゲーム機の施錠装置を提供することを目的とする。
【課題を解決するための手段】
【００１２】
上記の目的を達成するために、本発明の請求項１のゲーム機の施錠装置は、
外側を覆うケースが設けられ、該ケースはコ字状断面を有し薄い板状空間を内部に有して形成され、ゲーム機の前面枠を施錠し解錠する前面枠施錠機構と、該ゲーム機のガラス枠を施錠し解錠するガラス枠施錠機構とが該ケース内に配設されたゲーム機の施錠装置において、
該ケースの板状空間内に板状で長尺の支持部材が配設され、
該前面枠施錠機構にはラッチ部材が該ケース内の該支持部材に回動可能に枢支され、該ラッチ部材を解錠側に動作させるラッチ作動杆が該ケース内の該支持部材に摺動可能に装着され、該ラッチ部材を解錠側に付勢するばね部材が装着され、
該ガラス枠施錠機構にはガラス枠鉤部材が該ケース内の該支持部材に傾動可能に枢支され、該ガラス枠鉤部材を解錠側に傾動させるガラス枠作動杆が該ケース内の該支持部材に摺動可能に装着され、該ガラス枠鉤部材を施錠側に付勢するばね部材が装着され、
該ラッチ部材は該ケース内の該支持部材の一方の側に、枢軸により回動可能に枢支され、該ラッチ部材には受け具を拘束するロック凹部が設けられる一方、該ケースと前記支持部材には受け具の係止ピンを受け入れる開口凹部が設けられ、
前記ラッチ作動杆は該支持部材の他方の側に摺動可能に配設され、該ラッチ作動杆には該ラッチ部材の係止部に係合して該ラッチ部材をラッチ位置にロックする係合ピンが突設される共に、該係合ピンは該支持部材に形成されたガイド孔に他方の側から一方の側に挿通され、
該支持部材の側方に突設された取付座部にシリンダ錠が取り付けられ、該シリンダ錠の錠軸の先端にカム部材が固定され、該カム部材を覆うカムカバーが該支持部材の該取付座部に固定され、
前記前面枠の施錠時には、該ラッチ部材が回動して受け具の係止ピンを該ロック凹部と該開口凹部内に拘束し、解錠時には、該カム部材が一方向に回動し該ラッチ作動杆に係合して該ラッチ作動杆を解錠側に摺動させて、該ラッチ部材を解錠動作させ、前記ガラス枠の施錠時には、前記ガラス枠鉤部材が傾動して施錠し、該ガラス枠の解錠時には、該カム部材が他方向に回動し該ガラス枠作動杆に係合して該ガラス枠作動杆を解錠側に摺動させ、該ガラス枠鉤部材を解錠側に傾動させることを特徴とする。
【００１３】
この発明によれば、前面枠またはガラス枠を閉じたときに施錠動作は各ラッチ部材の回動またはガラス枠鉤部材の傾動によって行なわれ、また、ラッチ部材の場合、解錠動作はラッチ部材のばね部材のばね力による回動によって行なわれるので、スリム化されたケース内のラッチ作動杆やガラス枠作動杆の摺動摩擦抵抗とは無関係に施錠・解錠動作が行なわれ、各部品の製造時の寸法誤差や形状のばらつきがあった場合でも、円滑に施錠・解錠することができる。また、ラッチ部材やラッチ作動杆を含む前面枠施錠機構及びガラス枠作動杆がケース内に収納されているので、不正な針金等が施錠機構に到達せず、針金等による不正解錠を防止することができる。
【００１５】
この発明によれば、ラッチ部材はケースの内側で回動可能に枢支されるので、施錠装置の背面側に突出する鉤状部分がなくなる。このため、前面枠を開き、ゲーム機の内部を保守点検する際などに、前面枠内側の施錠装置の背面側には、突出部分がないので、手や工具などの動きが干渉して邪魔になることがなく、安全且つスムーズに作業を行なうことができる。
【００１７】
この発明によれば、係合ピンとラッチ作動杆の摺動をガイドするガイドピンとを兼用することができ、構造を簡単化すると共に、部品点数を削減することができる。
【００１８】
また、上記施錠装置において、上記ガラス枠鉤部材は、上記支持部材の内側に、その元部が前記ケース内に枢軸により支持されると共に、その先端部が傾動可能に該ケースから前方に突設され、該枢軸の周囲に装着したばね部材により該ガラス枠鉤部材は施錠方向に付勢され、前記ガラス枠作動杆は、該支持部材の内側に摺動可能に配設され、該ガラス枠作動杆には該ガラス枠鉤部材を解錠側に押して傾動させる係合ピンが突設されると共に、該係合ピンは該支持部材に形成されたガイド孔に挿通される構成とすることができる。
【００１９】
この発明によれば、係合ピンとガラス枠作動杆の摺動をガイドするガイドピンとを兼用することができ、構造を簡単化すると共に、部品点数を削減することができる。
【００２０】
また、上記施錠装置において、上記ケースの一部と上記支持部材の一部に、各々固定孔を設けた固定座が突設され、両固定座の向きは相互に直角関係となるように設定され、支持部材の固定座はケースの一部に設けたスリットを通して外部に突出するように構成することができる。
【００２１】
この発明によれば、施錠装置をゲーム機の前面枠に取り付ける際、前面枠施錠機構及びガラス枠施錠機構を支持する支持部材を、固定座と固定ねじを用いて強固に固定することができる。また、ケースについても前面枠に対し固定座と固定ねじを用いて固定することができる。また、ケースと支持部材の固定座の向きが相互に直角となり、ケースと支持部材はケース内で相互に固定されるので、ケース及び支持部材を前面枠に確実に安定して固定することができる。
【００２２】
さらに、本発明の請求項４のゲーム機の施錠装置は、
外側を覆うケースが設けられ、該ケースはコ字状断面を有し薄い板状空間を内部に有して形成され、ゲーム機の前面枠を施錠し解錠する前面枠施錠機構が該ケース内に配設されたゲーム機の施錠装置において、
該ケースの板状空間内に板状で長尺の支持部材が配設され、
該前面枠施錠機構にはラッチ部材が該ケース内の該支持部材に回動可能に枢支され、該ラッチ部材を解錠側に動作させるラッチ作動杆が該ケース内の該支持部材に摺動可能に装着され、該ラッチ部材を解錠側に付勢するばね部材が装着され、
該ラッチ部材は該ケース内の該支持部材の一方の側に、枢軸により回動可能に枢支され、該ラッチ部材には受け具を拘束するロック凹部が設けられる一方、該ケースと前記支持部材には受け具の係止ピンを受け入れる開口凹部が設けられ、
前記ラッチ作動杆は該支持部材の他方の側に摺動可能に配設され、該ラッチ作動杆には該ラッチ部材の係止部に係合して該ラッチ部材をラッチ位置にロックする係合ピンが突設される共に、該係合ピンは該支持部材に形成されたガイド孔に他方の側から一方の側に挿通され、
該支持部材の側方に突設された取付座部にシリンダ錠が取り付けられ、該シリンダ錠の錠軸の先端にカム部材が固定され、該カム部材を覆うカムカバーが該支持部材の該取付座部に固定され、
施錠時には、該ラッチ部材が回動して受け具の係止ピンを該ロック凹部と該開口凹部内に拘束し、解錠時には、該カム部材が一方向に回動し該ラッチ作動杆に係合して該ラッチ作動杆を解錠側に摺動させ、該ラッチ部材を解錠動作させることを特徴とする。
【００２３】
この発明によれば、前面枠を閉じたときに施錠動作は各ラッチ部材の回動によって行なわれ、また、解錠動作はラッチ部材のばね部材のばね力による回動によって行なわれるので、スリム化されたケース内のラッチ作動杆の摺動摩擦抵抗とは無関係に施錠・解錠動作が行なわれる。これにより、各部品の製造時の寸法誤差や形状のばらつきがあった場合でも、円滑に施錠・解錠することができる。また、ラッチ部材やラッチ作動杆を含む前面枠施錠機構がケース内に収納されているので、不正な針金等が施錠機構に到達せず、針金等による不正解錠を防止することができる。
【発明の効果】
【００２４】
このように、本発明のゲーム機の施錠装置によれば、薄くスリム化されたケース内に前面枠施錠機構とガラス枠施錠機構を収納した構造の施錠装置であって、各部品の製造時の寸法誤差や形状のばらつきがあった場合でも、円滑にラッチ部材とガラス枠鉤部材を動作させて施錠及び解錠を行なうことができる。
【発明を実施するための最良の形態】
【００２５】
以下、本発明の実施例を図面に基づいて説明する。図１は施錠装置の正面図を、図２はその右側面図を示し、図３はその左側面図を、図４はその背面図を示し、図５はその平面図と底面図を示している。
【００２６】
図１〜図３に示すように、この施錠装置の装置本体Ｓは、概略的には、外側を覆うケース１を有し、ケース１は、薄い板状空間を内部に有した断面コ字状に形成される共に、薄く細い長尺状に形成され、そのケース１内に、ゲーム機の前面枠を施錠し解錠する前面枠施錠機構Ａと、ゲーム機のガラス枠を施錠し解錠するガラス枠施錠機構Ｂとが設けられて構成される。
【００２７】
ケース１の板状空間内に、板状で長尺の支持部材２が配設され、前面枠施錠機構Ａとしてラッチ部材４、５がケース１内の支持部材２の上部と下部に回動可能に枢支される。ラッチ部材４、５を解錠側に動作させるラッチ作動杆６がケース１内の支持部材２に摺動可能に装着され、ラッチ部材４、５を解錠側に付勢するばね部材４ｃ、５ｃがラッチ部材４，５と支持部材２間に装着される。ここでは、ばね部材４ｃ、５ｃとしてコイルばねが使用されているが、トーションばねを枢軸４ａ，５ａの周囲に装着することもできる。
【００２８】
ラッチ部材４，５はケース１の支持部材２内側で枢軸４ａ，５ａにより回動可能に枢支され、ラッチ部材４，５には受け具４１、４２を拘束するロック凹部４ｂ，５ｂが設けられる一方、ケース１には、受け具４１，４２の係止ピン４１ａ，４２ａを受け入れる開口凹部１１，１２が形成され、支持部材２にも、受け具４１，４２の係止ピン４１ａ，４２ａを受け入れる開口凹部２１，２２が形成されている。これにより、施錠時にはラッチ部材４，５が回動して受け具４１，４２の係止ピン４１ａ，４２ａをロック凹部４ｂ、５ｂと開口凹部１１，１２，２１，２２内に拘束するようになっている。
【００２９】
ケース１の正面には図９に示すように、正面開口部１３が開口形成され、この開口した正面開口部１３から、支持部材２が挿入されて、所定位置に固定される。支持部材２には上記の如く、ラッチ部材４，５及びガラス枠鉤部材７，８，９などが取り付けられる。支持部材２には、図６などに示すように、その上部と略中央部に固定座２８が、前面枠の内側に本装置を固定するために、背面側に突出して設けられる。また、この固定座２８を背面側に挿通させて突き出すために、ケース１の上部と略中央部の背面にはスリット１５が設けられる（図６）。
【００３０】
さらに、ケース１内に挿入される支持部材２には、図６、図１０などに示すように、正面視で左側にシリンダ錠用の取付座部３が突設されるが、この取付座部３の背面側に位置するケース１の側面に、カム用開口部１６が形成される。シリンダ錠１７の錠軸１７ａに固定されたカム部材１８は、ケース１内のラッチ作動杆６とガラス枠作動杆１０とに係合可能とされ、このカム用開口部１６を通して、ラッチ作動杆６とガラス枠作動杆１０とにカム部材１８が係合することとなる。
【００３１】
また、ケース１には、図１、図４、図９などに示すように、その上部、中央部、下部の前面右側に、固定座１４が設けられ、装置本体Ｓが前面枠の内側に固定される際、前面枠の内側にその固定座１４を当て、固定ねじをねじ孔に挿入して装置本体Ｓを締め付け固定するようになっている。ケース１は、図９などに示すように、その正面幅（背面幅）の側面幅に対する比率が、略１／３〜１／４に設定され、正面幅（背面幅）が側面幅に比して細くスリムに形成され、ケース１の内部に板状空間が形成されている。
【００３２】
このケース１の板状空間内に挿入される支持部材２は、図６、図１０に示すように、長尺の帯状鋼板をプレス加工して成型され、その正面側端部は長手方向にそって直角に曲げて正面板部２ａとされ、その正面板部２ａの下部側方にシリンダ錠用の取付座部３が延設されている。取付座部３には、シリンダ錠１７の矩形部付き円筒部分を挿入するための異形孔が形成され、フランジ１７ｂを固定するための固定孔が形成される。また、この正面板部２ａの上部、中央部、及び下部に、ガラス枠鉤部材７，８，９用のスリット２３，２４，２５が縦方向に形成され、支持部材２の対応位置に枢支されるガラス枠鉤部材７，８，９は、その先端部を各スリット２３，２４，２５から前方に突き出すようにし、水平姿勢から上方に傾動可能に配設されている。
【００３３】
一方、図６に示すように、支持部材２には、４箇所に固定ねじ孔部２９がケース１内での固定用に内側に切り起すように突設される。さらに、ケース１の側面における、これらの固定ねじ孔部２９に対応した位置に、固定孔１ａが形成される。ケース１の右外側からこれらの固定孔１ａに固定ねじを挿入し、固定ねじ孔部２９のねじ孔にその固定ねじの先端をねじ込むことにより、支持部材２がケース１内の定位置で固定されるようになっている。さらに、支持部材２には、その背面側端部に、背面板部２ｂが内側に直角に曲げて形成される。
【００３４】
支持部材２は、図６に示すように、その前面に正面板部２ａと背面板部２ｂを各々内側に直角に曲げて形成することにより、横断面を深さの浅いコ字状とするように形成される。その背面板部２ｂの上部と中央部には、上記ケース１のスリット１５に対応した位置に、固定孔を設けた固定座２８が切り起すように背面に向けて形成され、ケース１内に支持部材２を挿入したとき、固定座２８がスリット１５から背面側に突出するようになっている。また、支持部材２には、受け具４１、４２の係止ピン４１ａ，４２ａを受け入れるための開口凹部２１，２２が、上記ケース１の開口凹部１１と１２に対応した上部と下部位置に形成されている。
【００３５】
前面枠施錠機構Ａには、２個のラッチ部材４，５が、支持部材２の内側における開口凹部２１と２２の直下位置に、枢軸４ａ，５ａにより回動可能に枢支される。ラッチ部材４，５は、開口凹部１１，１２、２１，２２内に進入した受け具４１、４２の係止ピン４１ａ，４２ａを係止拘束するロック凹部４ｂ、５ｂを有して形成され、さらに、ラッチ部材４，５の一部には、ラッチ作動杆６に設けた係合ピン６ｂ、６ｃに係合して係止される係止部４ｄ、５ｄが設けられる。
【００３６】
また、ラッチ部材４，５には、ラッチ作動杆６との間に、ばね部材（コイルばね）４ｃ、５ｃが掛けられ、ラッチ部材４，５は、このばね部材４ｃ、５ｃにより解錠側に付勢される。前面枠を閉じて施錠する際、このラッチ部材４，５が受け具４１、４２の係止ピン４１ａ，４２ａに押されて回動し、係止ピン４１ａ，４２ａが施錠位置に進入したとき、ラッチ作動杆６の係合ピン６ｂ、６ｃが係止部４ｄ、５ｄに係止されて、ラッチ部材４，５が受け具４１，４２を拘束する位置にロックされる構造となっている。このラッチ作動杆６の係合ピン６ｂ、６ｃは、支持部材２の開口凹部２１，２２の直下に形成されるガイド孔２６，２７に係合し、その上下動がガイドされる。
【００３７】
図６に示すように、係合ピン６ｂ、６ｃは、ラッチ作動杆６の上端部と下端部に取り付けられ、ガイド孔２６，２７に係合して上下動し、ラッチ部材４，５の係止部４ｄ、５ｄに係止可能となっている。ラッチ作動杆６は、図６に示すように、支持部材２の外側（正面視で支持部材２の右側）に上下摺動可能に装着され、ラッチ作動杆６の上端部と下端部に取り付けられる係合ピン６ｂ、６ｃはこのガイド孔２６，２７に挿通される。
【００３８】
そして、ラッチ作動杆６は、係合ピン６ｂ、６ｃとガイド孔２６，２７との係合により、支持部材２の内側に沿って、縦方向に所定の範囲で上下動可能に支持され、且つラッチ部材４，５の施錠時にはラッチ部材４，５の係止部４ｄ、５ｄに係合ピン６ｂ、６ｃが係止され、ラッチ部材４，５をラッチ位置にロックする。つまり、係合ピン６ｂ、６ｃはラッチ部材をロックすると共に、ガイドピンとしても作用する。
【００３９】
また、このラッチ作動杆６には、その下部の少し上方に係合部６ａがカム部材１８に対応して設けられ、シリンダ錠１７の操作によりカム部材１８が正面視で右側（時計方向）に回動したとき、カム部材１８の係合凸部１８ａが係合部６ａに係合して、ラッチ作動杆６が僅かに下降し、係合ピン６ｂ、６ｃがラッチ部材４，５の係止部４ｄ、５ｄから外れ、ラッチ部材４，５がばね部材４ｃ、５ｃのばね力で解錠方向に回動する構造となっている。
【００４０】
さらに、ガラス枠施錠機構Ｂには、３本のガラス枠鉤部材７，８，９がケース１内の支持部材２の内側に、傾動可能に枢支される。図７〜図９に示すように、ガラス枠鉤部材７，８，９は、支持部材２の内側の上部、中央部、及び下部の近傍に、正面を向いて、枢軸７ａ，８ａ，９ａにより、水平位置から上方に傾動可能に枢支される。また、各ガラス枠鉤部材７，８，９は、その先端部が、支持部材２の正面板部２ａに設けたスリット２３，２４，２５（図６）に挿通して、正面側に突き出すように配設される。
【００４１】
各ガラス枠鉤部材７，８，９には、ガラス枠鉤部材を施錠側（図１２の時計方向）に付勢するばね部材７ｂ、８ｂ、９ｂがその枢軸７ａ，８ａ，９ａの周囲に装着される。このばね部材７ｂ、８ｂ、９ｂとしてトーションばねが使用されるが、トーションばねによれば、コイルばねの場合に比べ、ガラス枠鉤部材に対し良好に傾動方向の付勢力を付与し、またばねの設置スペースを縮小することができる。
【００４２】
図６〜図８に示すように、ガラス枠鉤部材７，８，９を解錠側に傾動させるガラス枠作動杆１０が、ケース１内の支持部材２に摺動可能に装着される。ガラス枠作動杆１０の上端部、中央部、下端部に、係合ピン１０ｂ，１０ｃ，１０ｄが設けられ、さらに、ガラス枠作動杆１０の下部には、カム部材１８の係合凸部１８ｂと係合可能な係合部１０ａが設けられている。また、ガラス枠作動杆１０の中央部上寄りに、ガイド孔１０ｅが設けられ、ガイドピン１０ｆがそのガイド孔１０ｅに挿通され、その先端が支持部材２の内側に固定されることにより、ガラス枠作動杆１０はガイド孔１０ｅとガイドピン１０ｆを介して上下に所定の範囲で摺動可能とされる。
【００４３】
さらに、ガラス枠作動杆１０の下部に係合部１０ａがカム部材１８の係合凸部１８ｂと係合可能に設けられる。このガラス枠作動杆１０の係合部１０ａは、シリンダ錠１７を操作してカム部材１８が正面視で左側（反時計方向）に回動したとき、カム部材１８の係合凸部１８ｂが係合してガラス枠作動杆１０を上昇させるように設けられる。ガラス枠作動杆１０が上昇すると、その上端部、中央部、及び下端部の係合ピン１０ｂ，１０ｃ，１０ｄが各ガラス枠鉤部材７，８，９の係合部７ｃ、８ｃ、９ｃに作用して、ばね部材７ｂ、８ｂ、９ｂのばね力に抗して各ガラス枠鉤部材７，８，９を上方に傾動させ、解錠される構造である。
【００４４】
ケース１の下部の側方には、支持部材２から取付座部３が突設され、その取付座部３にシリンダ錠１７がフランジ１７ｂを介して取り付けられる。シリンダ錠１７の錠軸１７ａの先端にカム部材１８が固定される。カム部材１８には、図６に示すように、２つの係合凸部１８ａ、１８ｂが設けられ、上述の如く、カム部材１８が正面視で右側（時計方向）に回動したとき、カム部材１８の係合凸部１８ａが係合してラッチ作動杆６を下降させてラッチ部材４，５を解錠動作させる。一方、カム部材１８が正面視で左側（反時計方向）に回動したとき、カム部材１８の係合凸部１８ｂが係合してガラス枠作動杆１０を上昇させ、ガラス枠鉤部材７，８，９を上側に傾動させて解錠させるようになっている。
【００４５】
シリンダ錠１７のフランジ１７ｂの背面側つまりカム部材１８を覆うように、カムカバー１９がフランジ１７ｂの背面に取り付けられる。このカムカバー１９は、合成樹脂により成形され、フランジ１７ｂの取付孔に挿入されるシリンダ錠１７の固定ねじを利用して取り付けられ、カム部材１８をカバーすることにより、不正解錠を防止している。
【００４６】
図８に示すように、支持部材２には、前面枠施錠機構Ａのラッチ部材４，５、ラッチ作動杆６、ガラス枠施錠機構Ｂのガラス枠鉤部材７，８，９、ガラス枠作動杆１０、シリンダ錠１７などが組み付けられ、その組み付けられた状態の支持部材組付体の外側を覆うように、その組付体がケース１内に挿入される。図１のように、取付座部３とシリンダ錠１７は正面視でケース１の左側に突出し、固定座２８もケース１の左側に突出する。そして、ケース１内の支持部材２の固定は、固定ねじ孔部２９にケース１の側面の固定孔１ａから固定ねじをねじ込んで締付固定される。
【００４７】
このように構成された施錠装置は、図１１に示すように、パチンコ機（ゲーム機）における例えば合成樹脂製の前面枠４５の自由端側の内側に、シリンダ錠１７の先端を前面に露出させた状態で、３箇所の固定座１４を前面枠４５の内側に当て、その孔に固定ねじを背面から正面に向けて挿入し、締め付け固定する。さらに、その固定面とは直角な前面枠４５の内側面に、本装置本体Ｓの背面側に突出した固定座２８を当て、その孔に固定ねじを側面に向けて挿入し、固定ねじを締め付け、装置本体Ｓは取付けられる。
【００４８】
これにより、ケース１は３箇所の固定座１４により確実に固定され、前面枠施錠機構Ａとガラス枠施錠機構Ｂを支持した支持部材２は２箇所の固定座２８により確実に固定される。また、このとき、固定座１４の取付面と固定座２８の取付面は、直角関係にあるため、装置本体Ｓ全体では、前面枠内の正面視右側に、ガタツキなく強固に安定して固定することができる。
【００４９】
一方、本体枠４４の内側のラッチ部材４，５に対応した上下位置には、受け具４１，４２が固定される。受け具４１，４２にはラッチ部材４，５のロック凹部４ｂ、５ｂ内に進入可能な係止ピン４１ａ，４２ａが突設される。また、前面枠４５の前面に開閉可能に装着されたガラス枠４６には、ガラス枠鉤部材７，８，９に対応した３箇所に、ガラス枠受け具４３が設けられる。
【００５０】
ガラス枠４６は、遊技盤の前面に板ガラスまたは透明板を装着してゲーム機の前面を覆う前扉となるもので、前面枠４５の前面にヒンジを介して開閉可能に取り付けられ、その内側の、ガラス枠鉤部材７，８，９に対応した位置に、各々、ガラス枠受け具４３が設けられている。シリンダ錠１７の正面はガラス枠４６の正面に露出するように、ガラス枠４６にはシリンダ錠用の露出孔または切欠部が設けられている。
【００５１】
図１０に示すように、この施錠装置は、パチンコ機の前面枠４５の自由端側縁部の内側に、縦に取り付けられるが、図１に示す如く、その装置本体Ｓの右側面に何れの解錠用部材も現れず、ロック解除用のラッチ作動杆６、ガラス枠作動杆１０は、ケース１内に収納される。したがって、ケース１の背面側は、図２，３のように、ラッチ部材用の開口凹部１１，１２を除き閉鎖され、背面側に施錠用の突出部は現れない。
【００５２】
このため、不正解錠の際に、本体枠４４と前面枠４５の自由端側の隙間から、針金などが差し込まれたとしても、ロック解除用のラッチ作動杆６やガラス枠作動杆１０に、針金等の不正器具は到達せず、その種の不正解錠を、効果的に防止することができる。また、図２、図３などに示すように、ケース１の背面側に、鉤部材などの突出部や突起物は全くなく、保守点検などの際に前面枠４５の内側を開いて部品交換などを行なうとき、施錠装置の突起物に干渉せずに安全に作業を行なうことができる。
【００５３】
また、図１に示すように、ケース１は正面視において非常に薄く形成され、パチンコ機の前面枠４５内の右端の僅かな隙間でも施錠装置を装着することができ、施錠装置が占有する占有空間を非常に少なくすることができる。これにより、前面枠４５内に装着される電気機器や機械部品などの配置設計の自由度を増すことができる。
【００５４】
次に、上記構成のゲーム機の施錠装置の動作を説明する。パチンコ機（ゲーム機）の前面枠４５を本体枠４４に対し閉じると、図１１に示すように、施錠装置の上部と下部の開口凹部１１，１２，２１，２２内に、本体枠４４側の受け具４１，４２の係止ピン４１ａ，４２ａが進入し、ラッチ部材４，５のラッチ動作により係止ピン４１ａ，４２ａが施錠装置内でロックされる。
【００５５】
このような施錠時、上部と下部のラッチ部材４，５は、係止ピン４１ａ，４２ａの進入によって、図１２の状態からその時計方向に回動し、係止ピン４１ａ，４２ａがラッチ部材４，５のロック凹部４ｂ、５ｂ内に嵌りながらラッチ部材４，５を、ばね部材４ｃ、５ｃのばね力に抗して奥側に回動させる。
【００５６】
これにより、ラッチ部材４、５は、図１３の状態まで回動し、このとき、ラッチ作動杆６の上端部と下端部に突設した係合ピン６ｂ、６ｃが、ラッチ部材４，５の係止部４ｄ、５ｄに係止され、その位置でラッチ部材４，５がロックされる。これにより、受け具４１，４２の係止ピン４１ａ，４２ａは、開口凹部１１，１２，２１，２２内で、ラッチ部材４，５のロック凹部４ｂ、５ｂ内に拘束され、前面枠４５は施錠状態となる。
【００５７】
このように、前面枠４５を閉じて施錠するとき、ラッチ部材４，５はばね部材４ｃ、５ｃのばね力に抗して回動し、施錠位置まで回動してロックされるが、ばね部材４ｃ、５ｃのばね力は小さく、ラッチ部材４，５は単独で回動するため、摺動時の摩擦抵抗は小さく、僅かな力で前面枠４５を閉じるだけで、前面枠４５を確実に施錠することができる。
【００５８】
一方、前面枠４５を解錠する場合は、キーによってシリンダ錠１７の錠軸１７ａを回し、カム部材１８を図４の反時計方向に回転させる。このとき、カム部材１８の係合凸部１８ａはラッチ作動杆６の係合部６ａに係合してこれを押し下げる。
【００５９】
このラッチ作動杆６の下降により、その上端部と下端部の係合ピン６ｂ、６ｃが、ラッチ部材４，５の係止部４ｄ、５ｄから外れ、このとき、ラッチ部材４，５がばね部材４ｃ、５ｃのばね力により、図１２の如く、反時計方向に回動し、受け具４１，４２の係止ピン４１ａ、４２ａがロック凹部４ｂ、５ｂから離脱し、前面枠４５は解錠される。解錠操作した後、ラッチ部材４，５はばね部材４ｃ、５ｃのばね力により図１２の状態を保持する。
【００６０】
一方、前面枠４５内のガラス枠４６を前面枠４５に対し閉じる際には、ガラス枠４６を前面枠４５に対し押して閉じる。このとき、ガラス枠４６の内側に設けたガラス枠受け具４３が、まず、ガラス枠鉤部材７，８，９の頭部の傾斜面に当り、これを上方に傾動させ、係止位置に達したとき、ばね部材７ｂ、８ｂ、９ｂの付勢力によりガラス枠鉤部材７，８，９が水平位置に（下方に）戻り、図１１のように、ガラス枠受け具４３にガラス枠鉤部材７，８，９が係止され、ガラス枠４６は施錠状態となる。
【００６１】
このように、ガラス枠４６を閉じて施錠する際、各ガラス枠鉤部材７，８，９がガラス枠受け具４３に当たり、上方への回動力を受けて上に傾動し、その後、ばね部材７ｂ、８ｂ、９ｂのばね力によりガラス枠鉤部材７，８，９が水平位置に戻り、各ガラス枠鉤部材７，８，９の傾動動作のみで施錠される。したがって、各ガラス枠鉤部材７，８，９と支持部材２間に生じる摺動摩擦抵抗は小さく、僅かな力でガラス枠４６を閉じるだけで、ガラス枠４６を確実に施錠することができる。
【００６２】
一方、ガラス枠４６を解錠する場合は、キーによってシリンダ錠１７の錠軸１７ａを回し、カム部材１８を図の時計方向に回転させる。このとき、カム部材１８の係合凸部８ｂがガラス枠作動杆１０の係合部１０ａに係合してこれを僅かに押し上げる。
【００６３】
このガラス枠作動杆１０の上昇により、その上端部、中央部、下端部に設けた係合ピン１０ｂ、１０ｃ、１０ｄが、各ガラス枠鉤部材７，８，９の中間部の係合部７ｃ、８ｃ、９ｃに当たり、各ガラス枠鉤部材７，８，９を上に傾動させる。これによって、ガラス枠鉤部材７，８，９が、図１３のように、上側に傾動してガラス枠受け具４３との係合が外れ、ガラス枠４６は解錠される。
【００６４】
このように、前面枠４５またはガラス枠４６を閉じたとき、施錠動作は各ラッチ部材４，５の回動またはガラス枠鉤部材７，８，９の傾動によって行なわれ、また、ラッチ部材４，５の場合、解錠動作はラッチ部材４，５のばね部材４ｃ、５ｃのばね力による回動によって行なわれるので、スリム化されたケース１内のラッチ作動杆６やガラス枠作動杆１０の摺動摩擦抵抗とは無関係に、施錠・解錠動作が行なわれ、各部品の製造時の寸法誤差や形状のばらつきがあった場合でも、円滑に施錠・解錠することができる。
【００６５】
また、ラッチ部材４，５は、ケース１の内側で回動可能に枢支されるので、施錠装置の背面側に突出する鉤状部分がない。このため、前面枠４５を開き、ゲーム機の内部を保守点検する際などに、手や工具などの動きが施錠装置の突出部分に干渉して邪魔になることがなく、安全にまたスムーズに作業を行なうことができる。
【００６６】
しかも、ラッチ部材４，５やラッチ作動杆６を含む前面枠施錠機構Ａが略完全にケース１内に収納されるので、前面枠の隙間から針金等を差し込み、それを前面錠機構Ａに引掛けて不正解錠しようとしても、ケース１内の施錠機構Ａに針金等は到達せず、針金等の不正器具を用いた不正解錠を防止することができる。
【００６７】
また、前面枠施錠機構Ａのラッチ作動杆６においては、その上端部と下端部に取り付けた係合ピン６ｂ、６ｃをガイド孔２６，２７に挿通させると共に、ラッチ部材４，５の係止部４ｄ、５ｄに係止させるようにしたので、ラッチ作動杆６の摺動をガイドするガイドピンと係合ピンとを兼用することができ、構造を簡単化すると共に、部品点数を削減することができる。
【００６８】
同様に、ガラス枠施錠機構Ｂのガラス枠作動杆１０においては、その上端部、中間部、下端部に取り付けた係合ピン１０ｂ、１０ｃ、１０ｄとガラス枠作動杆１０の摺動をガイドするガイドピンとを兼用することができ、構造を簡単化すると共に、部品点数を削減することができる。
【００６９】
なお、上記実施形態では、金属板をプレス加工などして支持部材２を形成したが、この支持部材２は合成樹脂により形成することもできる。合成樹脂製の支持部材の場合、支持部材の厚さは、ケース１内に密に挿入可能な寸法に成形し、ケース１内に支持部材を密に嵌入するようにする。このように、合成樹脂製の支持部材をケース１内に密に嵌入することにより、曲げ強度の低い合成樹脂製の支持部材を問題なく使用することができる。
【００７０】
さらにこの場合、支持部材の内側面に、ラッチ部材４，５とガラス枠鉤部材７，８，９が回動可能または傾動可能に収納される凹部を形成すればよく、また、支持部材の両側面に、ラッチ作動杆６とガラス枠作動杆１０を収納するための凹部を形成すればよい。また、ラッチ部材４，５用の枢軸４ａ，５ａは合成樹脂製の支持部材にボスとして突設することができ、ガラス枠鉤部材７，８，９用の枢軸７ａ，８ａ，９ａも合成樹脂製の支持部材にボスとして突設することができる。
【００７１】
上記実施形態では、パチンコ機用の施錠装置について説明したが、スロットマシンなどのガラス枠を有しない、前面枠（前扉）のみを備えたゲーム機に、本発明の施錠装置を適用することもできる。この場合、ガラス枠施錠機構がなく、前面枠施錠機構のみが支持部材に組み付けられ、その支持部材がケース内に収納されることとなる。また、スロットマシンのように鍵によりリセットスイッチを動作させる場合、スイッチ作動杆を支持部材の左側面に沿って摺動可能に配設し、そのスイッチ作動杆をカム部材に係合可能とし、スイッチ作動杆もケース内に収納する。シリンダ錠に挿入した鍵を、前扉の反解錠側（左側）に回したとき、スイッチ作動杆を動作させることとなる。
【図面の簡単な説明】
【００７２】
【図１】本発明の一実施例を示す施錠装置の正面図である。
【図２】同施錠装置の右側面図である。
【図３】同施錠装置の左側面図である。
【図４】同施錠装置の背面図である。
【図５】同施錠装置の平面図（ａ）と底面図（ｂ）である。
【図６】同施錠装置の背面側からの分解斜視図である。
【図７】同施錠装置の分解左側面図である。
【図８】支持部材、ラッチ部材、ガラス枠鉤部材などの組付体とケースの分解左側面図である。
【図９】ケースの正面図（ａ）と左側面図（ｂ）である。
【図１０】支持部材の正面図（ａ）と支持部材の左側面図（ｂ）である。
【図１１】ゲーム機に施錠装置を取り付け、施錠した状態の左側面図である。
【図１２】ケースを外した状態で、ラッチ部材やガラス枠鉤部材の動きを示す左側面図である。
【図１３】ケースを外した状態で、ラッチ部材やガラス枠鉤部材の動きを示す左側面図である。
【符号の説明】
【００７３】
１      ケース
２      支持部材
３      取付座部
４      ラッチ部材
４ａ    枢軸
４ｂ    ロック凹部
４ｄ    係止部
６      ラッチ作動杆
６ａ    係合部
６ｂ    係合ピン
７，８，９      ガラス枠鉤部材
７ａ，８ａ，９ａ    枢軸
７ｂ、８ｂ、９ｂ    ばね部材
７ｃ、８ｃ、９ｃ    係合部
１０    ガラス枠作動杆
１０ａ  係合部
１０ｂ  係合ピン
１１、１２    開口凹部
１３    正面開口部
１４    固定座
１７    シリンダ錠
１７ａ  錠軸
１８    カム部材
１９    カムカバー
４４    本体枠
４５    前面枠
４６    ガラス枠
Ａ      前面枠施錠機構
Ｂ      ガラス枠施錠機構
Ｓ      装置本体
【図１】
0005166960.tif 000002
【図２】
0005166960.tif 000003
【図３】
0005166960.tif 000004
【図４】
0005166960.tif 000005
【図５】
0005166960.tif 000006
【図６】
0005166960.tif 000007
【図７】
0005166960.tif 000008
【図８】
0005166960.tif 000009
【図９】
0005166960.tif 000010
【図１０】
0005166960.tif 000011
【図１１】
0005166960.tif 000012
【図１２】
0005166960.tif 000013
【図１３】
0005166960.tif 000014